(57)【特許請求の範囲】
【請求項１】
三脚の雲台上にレンズサポータが固定され、該レンズサポータを介してレンズ装置、防振装置、及びテレビカメラ本体が取り付けられたテレビカメラであって、
前記レンズサポータのマウント枠の前面側には、前記レンズ装置の後端面と係合する係合部が形成され、
前記レンズサポータの前記マウント枠の後面には、前記テレビカメラの像ぶれを補正する補正レンズを備えた前記防振装置が連結手段を介して着脱自在に取り付けられ、
前記防振装置の後面にはテレビカメラのマウントと連結されるマウントが設けられることにより、前記テレビカメラ本体と前記レンズ装置とが、各々の光軸が一致した状態で前記レンズサポータ及び前記防振装置に支持されることを特徴とするテレビカメラの防振装置。
【請求項２】
前記防振装置は、
前記補正レンズと、
前記補正レンズを撮影光軸と直交する面内で移動自在に支持する支持手段と、
前記テレビカメラのぶれを検知する像ぶれ検知手段と、
前記像ぶれ検知手段からの情報に基づいて前記補正レンズに与えるべき補正移動量を演算する演算部と、
前記演算部からの情報に基づいて像ぶれを補正する方向に前記補正レンズを移動させる駆動手段と、
前記補正レンズの移動位置を検出する位置検出手段と、
前記位置検出手段で検出された補正レンズの移動位置に基づいて前記演算部で演算された補正移動量に対応する位置に補正レンズが位置するよう前記駆動手段をフィードバック制御する制御手段と、
から成ることを特徴とする請求項１記載のテレビカメラの防振装置。
【請求項３】
前記防振装置は、レンズ装置から伝達されるレンズ情報に基づいて前記補正レンズの振幅量をレンズ装置毎に調整する振幅量調整手段を具備していることを特徴とする請求項１記載のテレビカメラの防振装置。
【請求項４】
前記防振装置は、ユーザの操作に応じてレンズ情報を設定できる情報入力操作部を備えていることを特徴とする請求項１記載のテレビカメラの防振装置。
【請求項５】
前記防振装置は、該防振装置の防振機能を働かせるか否かを選択する防振ＯＮ／ＯＦＦ操作手段、及び／又は前記テレビカメラのぶれを検知する像ぶれ検知手段の感度を調節する感度調節操作手段を有した遠隔操作部を備えていることを特徴とする請求項１記載のテレビカメラの防振装置。
【発明の詳細な説明】
【０００１】
【発明の属する技術分野】
本発明はテレビカメラに加わった振動によって生じる像ぶれを防止する防振装置に係り、特にテレビカメラ本体にレンズサポータを介してレンズ装置が取り付けられたテレビカメラ用の防振装置に関する。
【０００２】
【従来の技術】
ＥＦＰ用レンズ装置のような重量物の箱型レンズ装置を、ＥＮＧカメラ等のハンディ型テレビカメラの本体に取り付ける場合、まず、三脚にレンズサポータを固定した後、このレンズサポータの一方側にテレビカメラ本体を固定し、他方側にレンズ装置を固定することにより、レンズ装置の重量がテレビカメラ本体に直接加わらないようにしている。
【０００３】
ところで、前記レンズ装置には、防振装置が内蔵されているものがある。この防振装置は、像ぶれを補正する補正レンズを有し、補正レンズを振動方向に応じて適宜像ぶれを補正する方向に移動させることにより、ぶれのない良好な画像を得ている。
その一方、レンズ装置と分離可能な外付け型（アダプタ式）防振レンズユニットも提案されている（特開昭６３−２０１６２４号公報、特開昭６４−３３５１号公報、及び特開平６−１８９１８１号公報参照）。
【０００４】
【発明が解決しようとする課題】
しかしながら、従来の防振装置を内蔵したレンズ装置は、各レンズ装置毎に防振装置が組み付けられるためレンズ装置自体が非常に高価になるという欠点がある。レンズ装置を低価格で提供するという観点から、防振装置を種類の異なるレンズ装置に共通使用することが望まれるが、上記各公報で提案されているアダプタ式防振レンズユニットは、レンズ、又はカメラへの取付方法が不明であり、機種毎に異なる連結部（引掛っけマウント）の形状に対してどのような手段で取り付けるかという課題が解決されていない。
【０００５】
また、上記特開平６−１８９１８１号公報で提案されているアダプタ式防振レンズユニット（中間アダプタ）では、レンズ装置側から防振制御に必要なレンズ固有情報を伝達しているが、かかる手段を具備しないレンズ装置が装着された場合には防振制御が不可能であるという欠点がある。
本発明はこのような事情に鑑みてなされたもので、多様なレンズ装置に対して共通使用が可能で、レンズやレンズサポータの引っ掛けマウント形状に関係なく取り付け可能なテレビカメラの防振装置を提供することを目的とし、更に、レンズ固有情報の伝達手段を有しないレンズ装置に対しても防振制御を可能にするテレビカメラの防振装置を提供することを目的とする。
【０００６】
【課題を解決するための手段】
本発明は、前記目的を達成するために、三脚の雲台上にレンズサポータが固定され、該レンズサポータを介してレンズ装置、防振装置、及びテレビカメラ本体が取り付けられたテレビカメラであって、前記レンズサポータのマウント枠の前面側には、前記レンズ装置の後端面と係合する係合部が形成され、前記レンズサポータの前記マウント枠の後面には、前記テレビカメラの像ぶれを補正する補正レンズを備えた前記防振装置が連結手段を介して着脱自在に取り付けられ、前記防振装置の後面にはテレビカメラのマウントと連結されるマウントが設けられることにより、前記テレビカメラ本体と前記レンズ装置とが、各々の光軸が一致した状態で前記レンズサポータ及び前記防振装置に支持されることを特徴としている。
【０００７】
本発明によれば、レンズサポータに防振装置を取り付け、この防振装置を種類の異なるレンズ装置の防振装置として共通使用したので、レンズ装置側に防振装置を設置する必要がなくなる。これにより、レンズ装置の製造コストを削減することができる。
特に、請求項１に記載の発明は、レンズサポータのマウント枠の後面にアダプタ式防振装置を連結手段によって着脱自在に取り付ける構造とする。かかる態様によれば、レンズやレンズサポータの引っ掛けマウント形状に関係なく防振装置を取り付けることができる。
【０００８】
防振装置の具体的な形態としては、例えば、請求項２に記載したように、補正レンズと、前記補正レンズを撮影光軸と直交する面内で移動自在に支持する支持手段と、前記テレビカメラのぶれを検知する像ぶれ検知手段と、前記像ぶれ検知手段からの情報に基づいて前記補正レンズに与えるべき補正移動量を演算する演算部と、前記演算部からの情報に基づいて像ぶれを補正する方向に前記補正レンズを移動させる駆動手段と、前記補正レンズの移動位置を検出する位置検出手段と、前記位置検出手段で検出された補正レンズの移動位置に基づいて前記演算部で演算された補正移動量に対応する位置に補正レンズが位置するよう前記駆動手段をフィードバック制御する制御手段と、から構成される。
【０００９】
また、本発明の一態様として、請求項３に係るテレビカメラの防振装置は、レンズ装置から伝達されるレンズ情報に基づいて、補正レンズの振幅量をレンズ装置毎に調整する振幅量調整手段を具備していることを特徴としている。レンズ情報には、レンズの倍率、焦点距離情報、エクステンダー情報、レンズコード情報など、防振制御に必要な様々な情報が含まれる。かかる振幅量調整手段を備えていれば、装着されたレンズ装置の情報を自動的に判断して、そのレンズ装置に適した防振制御が可能となる。
【００１０】
請求項４記載の発明は、レンズ装置が自己のレンズ情報を提供する手段を具備していない場合を考慮したものであり、防振装置側に、レンズの倍率情報などのレンズ情報をユーザの操作に応じて設定できる情報入力操作部を設けたことを特徴としている。これにより、情報入力部からユーザが自由にレンズ情報を入力し、又は、一度設定したレンズ情報を変更することができ、レンズ装置側からレンズ情報が伝達されない場合でも適正な防振制御を行うことができる。
【００１１】
更に、本発明の他の態様として、請求項５に係るテレビカメラの防振装置は、防振装置の防振機能を働かせるか否かを選択する防振ＯＮ／ＯＦＦ操作手段と、前記テレビカメラのぶれを検知する像ぶれ検知手段の感度を調節する感度調節操作手段との少なくとも一方の操作手段を有した遠隔操作部を設けたことを特徴としている。かかる態様によれば、撮影者が手元の遠隔操作部から防振機能のＯＮ／ＯＦＦや感度調節を行うことができ操作が容易になるとともに、これら操作時の余計な振動がレンズ装置側に伝わりにくいという利点がある。
【００１２】
【発明の実施の形態】
以下添付図面に従って本発明に係るテレビカメラの防振装置の好ましい実施の形態を詳述する。
図１は、本発明に係るテレビカメラの防振装置が適用されたスタジオカメラ装置１０の実施の形態を示す全体図である。
【００１３】
同図に示すスタジオカメラ装置１０は、三脚１２の雲台１４上に衝立状のレンズサポータ１６が固定され、このレンズサポータ１６のマウント枠１７を挟んで図１上右側にＥＮＧカメラ（以下、単にカメラと記す。）１８が防振装置２０を介して支持されている。また、前記マウント枠１７の図１上左側には、ＥＦＰ用レンズ装置２２が支持されている。なお、図中符合１６Ａはカメラ１８の高さを調節するための高さ調節ツマミである。
【００１４】
前記レンズ装置２２の後端面には図２、図３に示すように、フック２４が形成され、このフック２４をレンズサポータ１６のマウント枠１７前面側に形成されたフック２６に係合させることにより、レンズ装置２２がレンズサポータ１６に吊り下げられた状態で支持される。また、図２に示すように前記レンズ装置２２後端のレンズマウント２３は、レンズサポータ１６のマウント枠１７の開口部１７Ａに貫通配置され、防振装置２０の図２上左側に設けられた化粧環２１Ａ内に挿入配置されている。更に、前記防振装置２０の図２上右側にはマウント２１Ｂが設けられ、このマウント２１Ｂにカメラ１８のマウント１９が連結されている。これにより、カメラ１８とレンズ装置２２とは、各々の光軸が一致した状態でレンズサポータ１６及び防振装置２０に支持される。
【００１５】
図４は、レンズサポータ１６に対する防振装置２０の取付構造を示した要部断面図である。なお、図４は、防振装置２０の取付前の状態を示している。同図に示すようにレンズサポータ１６のマウント枠１７の後端面には、ねじ孔２７が形成されたボス２８が水平方向に突設されている。
他方、防振装置２０側には、前記ボス２８が係合される筒状のケーシング３０が形成されるとともに、該ケーシング３０の内側に前記ボス２８のねじ孔２７に螺合するねじ棒３２が設けられている。このねじ棒３２は、ケーシング３０に形成された通し孔３３を介してツマミ３４に連結されている。従って、防振装置２０のケーシング３０をボス２８に合わせ、ツマミ３４を回しながらねじ棒３２を回動してねじ孔２７にねじ込むと、ボス２８がケーシング３０に嵌入した状態で連結される。これによって、防振装置２０がレンズサポータ１６に位置決めされ取り付けられる。
【００１６】
ところで、前記ケーシング３０は図５に示すように、防振装置２０の本体２１の図５中左側上部に突出形成されている。また、前記本体２１の図５中左側下部には、縦方向に長い長孔３６Ａが形成されたケーシング３５Ａが突出形成されている。このケーシング３５Ａの長孔３６Ａに、レンズサポータ１６側に突設された図示しないボス（図４のボス２８と同形状のボス）２８Ａが嵌合される。また、前記ケーシング３５Ａにもねじ棒が配置されており、このねじ棒に連結されたツマミを回すことによりケーシング３５Ａとボス２８Ａとが締結される。なお、図５では、ねじ棒及びツマミを省略している。
【００１７】
更に、前記本体２１の図５中右側上部及び下部には、ケーシング３５Ｂ、３５Ｃが突出形成されている。これらのケーシング３５Ｂ、３５Ｃの孔３６Ｂ、３６Ｃに、レンズサポータ１６側に突設された図示しないボス（図４のボス２８と同形状のボス）２８Ｂ、２８Ｃを遊嵌し、そして、前記ケーシング３５Ｂ、３５Ｃと前記ボス２８Ｂ、２８Ｃとをねじ棒で締結する。なお、同様に前記ねじ棒及びツマミを図５では省略している。
【００１８】
図６は、防振装置２０に内蔵された補正レンズ４０の支持構造を示した正面図である。同図に示すように防振装置２０の本体２１内には、補正レンズ４０がレンズ枠体４２に保持されて配置される。この補正レンズ４０は、リニアモータ４４、４６によって撮影光軸Ｌと直交する面内で像ぶれを補正する方向に移動される。また、補正レンズ４０は、４本のアーム４８、４８、５０、５０からなる平行リンク機構を介して本体２１に移動自在に支持されている。
【００１９】
リニアモータ４４は、補正レンズ４０を図６中左右方向に移動させるもので、モータ本体４４Ａ、及びロッド４４Ｂから構成される。モータ本体４４Ａは、本体２１に固定され、前記ロッド４４Ｂの先端はレンズ枠体４２の長孔５２にローラ５４を介して係合されている。前記長孔５２はレンズ枠体４２の左側部に図中上下方向に形成され、よって、長孔５２とローラ５４とは相対的に図６中上下方向に移動自在に係合されている。
【００２０】
モータ本体４４Ａの駆動力でロッド４４Ｂが伸縮動作すると、図７に示すように補正レンズ４０はロッド４４Ｂに押されて、又はロッド４４Ｂに引かれて図７中左右方向に移動する。また、レンズ枠体４２に図６中上下方向の力が加わると、長孔５２がローラ５４にガイドされて補正レンズ４０が図６中上下方向に移動する。
【００２１】
前記リニアモータ４４のロッド４４Ｂには、連結枠５６が固着されている。この連結枠５６は、図６中上下方向に配設されて、中央部に前記ロッド４４Ｂが固着され、上下端部がそれぞれリニアガイド５８、５８に摺動自在に支持されている。前記リニアガイド５８、５８は、ロッド４４Ｂと平行に設けられており、これによって、ロッド４４Ｂが伸縮されると、前記連結枠５６はその姿勢を保持したまま左右方向に平行移動する。
【００２２】
ところで、前記連結枠５６には、位置センサ６０の検出用接触針６０Ｂの先端が押圧当接されている。前記位置センサ６０は、前記検出用接触針６０Ｂがロッド４４Ｂと平行になる位置に、そのセンサ本体６０Ａが本体２１に固定され、ロッド４４Ｂの伸縮動作で平行移動する連結枠５６の移動量を検知する。
本実施の形態の位置センサ６０は、検出用接触針６０Ｂをレンズ枠体４２の周面に直接当接させるのではなく、補正レンズ４０の移動量を間接的に検知することができる連結枠５６に当接させている。連結枠５６は、前述したようにロッド４４Ｂの伸縮量に関係なく姿勢を保持したまま平行移動するので、その移動中に検出用接触針６０Ｂが連結枠５６からズレたり滑ったりすることはない。
【００２３】
符号６２Ａは、スピードジェネレータ６２を構成するボビンで、符号６２Ｂはスピードジェネレータ６２を構成するコアであり、このコア６２Ｂが連結枠５６に固着されている。
一方、リニアモータ４６は、補正レンズ４０を図６中上下方向に移動させるもので、モータ本体４６Ａ、ロッド４６Ｂから構成される。モータ本体４６Ａは、本体２１に固定され、前記ロッド４６Ｂの先端はレンズ枠体４２の長孔６４にローラ６６を介して係合されている。前記長孔６４はレンズ枠体４２の下部に図６中左右方向に形成され、よって、長孔６４とローラ６６とは相対的に図６中左右方向に移動自在に係合されている。
【００２４】
モータ本体４６Ａの駆動力でロッド４６Ｂが伸縮動作すると、図８に示すようにレンズ枠体４２はロッド４６Ｂに押されて、又はロッド４６Ｂに引かれて図中上下方向に移動する。また、レンズ枠体４２に図６中左右方向の力が加わると、長孔６４がローラ６６にガイドされて補正レンズ４０が図６中左右方向に移動する。
【００２５】
前記リニアモータ４６のロッド４６Ｂには、連結枠６８が固着される。連結枠６８は、図６中左右方向に配設されて、中央部に前記ロッド４６Ｂが固着され、左右端部がそれぞれリニアガイド７０、７０に摺動自在に支持されている。前記リニアガイド７０、７０は、ロッド４６Ｂと平行に設けられ、これによって、ロッド４６Ｂが伸縮されると、前記連結枠６８はその姿勢を保持したまま上下に平行移動する。
【００２６】
前記連結枠６８には、位置センサ７２の検出用接触針７２Ｂの先端が押圧当接されている。位置センサ７２は、検出用接触針７２Ｂがロッド４６Ｂと平行になる位置に、センサ本体７２Ａが本体２１に固定され、ロッド４６Ｂの伸縮動作で平行移動する連結枠６８の移動量を検知する。
この位置センサ７２も位置センサ６０と同様に、検出用接触針７２Ｂをレンズ枠体４２の周面に直接当接させるのではなく、補正レンズ６８の移動量を間接的に検知することができる連結枠６８に当接させている。連結枠６８は、ロッド４６Ｂの伸縮量に関係なく姿勢を保持したまま平行移動するので、その移動中に検出用接触針６０Ｂが連結枠６８からズレたり滑ったりすることはない。
【００２７】
符号７４Ａは、スピードジェネレータ７４を構成するボビンで、符号７４Ｂはスピードジェネレータ７４を構成するコアであり、このコア７４Ｂが連結枠６８に固着されている。
図９は、防振装置２０の補正レンズ４０の駆動制御系を示すブロック図である。同図に示す角速度センサ７６、７８はカメラ１８側又は防振装置２０内に設けられている。例えば、一方の角速度センサ７６はカメラ１８の側部に、他方の角速度センサ７８はカメラ１８の上部に設けられる。
【００２８】
前記角速度センサ７６は、カメラ１８に伝達された振動のうち左右方向成分の振動を検知するもので、この検知された情報は中央演算処理装置（ＣＰＵ）８０に出力される。ＣＰＵ８０は、角速度センサ７６からの情報に基づいて補正レンズ４０に与えるべき左右方向の補正移動量を演算する。この左右方向の補正移動量を示す信号は、アンプ８２で増幅されたのち、リニアモータ４４（図６参照）に出力される。リニアモータ４４は、ＣＰＵ８０からの前記信号に応じた量だけロッド４４Ｂを伸長又は収縮する。
【００２９】
一方、角速度センサ７８は、スタジオカメラ装置１０に伝達された振動のうち上下方向成分の振動を検知するもので、検知された情報はＣＰＵ８０に出力される。ＣＰＵ８０は、角速度センサ７８からの情報に基づいて補正レンズ４０に与えるべき上下方向の補正移動量を演算し、この上下方向の補正移動量を示す信号をアンプ８２を介してリニアモータ４６に出力する。リニアモータ４６は、ＣＰＵ８０からの信号に応じた量だけロッド４６Ｂを伸長又は収縮する。
【００３０】
このように構成されたテレビカメラの防振装置によれば、角速度センサ７６から左右方向の振動情報がＣＰＵ８０に出力されると、ＣＰＵ８０は補正レンズ４０に与えるべき左右方向の補正移動量を演算し、この左右方向の補正移動量を示す信号をリニアモータ４４に出力する。リニアモータ４４は、ＣＰＵ８０からの前記信号に応じた量だけロッド４４Ｂを伸長又は収縮し、補正レンズ４０を像ぶれを補正する位置に移動させる。これにより、左右方向の振動成分が補正レンズ４０の移動で相殺されて左右方向の像ぶれが補正される。
【００３１】
補正レンズ４０の左右方向の移動時において、位置センサ６０は、連結枠５６の移動位置を検出している。位置センサ６０で検出した位置信号と、ＣＰＵ８０から出力されている補正移動量を示す信号とは比較され、前記リニアモータ４４は、補正移動量に対応する位置に補正レンズ４０を位置させるようＣＰＵ８０によってフィードバック制御されている。
【００３２】
一方、角速度センサ７８から上下方向の振動情報がＣＰＵ８０に出力されると、ＣＰＵ８０は補正レンズ４０に与えるべき上下方向の補正移動量を演算し、この上下方向の補正移動量を示す信号をリニアモータ４６に出力する。リニアモータ４６は、ＣＰＵ８０からの前記信号に応じた量だけロッド４６Ｂを伸長又は収縮し、補正レンズ４０を像ぶれを補正する位置に移動させる。これにより、上下方向の振動成分が補正レンズ４０の移動で相殺されて上下方向の像ぶれが補正される。
【００３３】
補正レンズ４０の上下方向の移動時において、位置センサ７２は、連結枠６８の移動位置を検出している。この検出した位置信号と、ＣＰＵ８０から出力されている補正移動量を示す信号とは比較されており、リニアモータ４６は、補正移動量に対応する位置に補正レンズ４０を位置させるようＣＰＵ８０によってフィードバック制御されている。
【００３４】
なお、防振装置２０の内部構造は図６に示した形態に限定するものではなく、補正レンズ４０をアクチュエータ等の駆動手段で適宜移動させる具体的な構造は、様々な形態が可能である。
図１０は、防振装置２０の全体構成を示すブロック図である。防振装置２０は主として、振れ検出センサ８４、レンズ情報メモリ８６、駆動回路８８、供給電源判断回路９０、ＣＰＵ８０、レンズ情報設定スイッチ９２、バッテリー９４等から構成される。振れ検出センサ８４は図９で述べた角速度センサ７６、７８に相当するものであり、駆動回路８８は図９で述べたアンプ８２及びリニアモータ４４、４６等に相当し、補正レンズ４０を駆動する為の回路の総称である。
【００３５】
この防振装置２０の電源は、バッテリー９４から供給されるが、カメラ電源に余裕がある場合には、カメラ電源入力端子９５を介してカメラ１８（図１０中不図示）から電源の供給を受けることも可能である。供給電源判断回路９０で供給電源を判別し、内部の電源端子９６への電力の供給元をバッテリー９４又はカメラ電源の何れかに自動的に切り替えるようになっている。なお、バッテリー９４及びカメラ電源の両方から電源の供給が可能な場合には、バッテリー９４が優先される。
【００３６】
一方、レンズ装置２２は、ズーム焦点距離情報出力手段９８、エクステンダー情報出力手段１００及びレンズ情報提供手段１０２を有している。レンズ装置２２のズーム位置（現在設定されている焦点距離）は、図示せぬポテンショメータ等の検出センサによって常時検出され、その焦点距離情報がズーム焦点距離情報出力手段９８から防振装置２０のＣＰＵ８０に通知される。また、レンズ装置２２のエクステンダーの状態（エクステンダーの使用の有無やエクステンダー倍率）を示す情報（エクステンダー情報）がエクステンダー情報出力手段１００から防振装置２０のＣＰＵ８０に通知される。
【００３７】
レンズ情報提供手段１０２は、当該レンズ装置２２の諸元データ（レンズ倍率を含むレンズ固有情報）を防振装置２０側に提供する手段であり、例えば、レンズ固有情報が格納されたＲＯＭが用いられる。そして、レンズ装置２２に防振装置２０が接続された際に、レンズ情報提供手段１０２からレンズ固有情報が防振装置２０のＣＰＵ８０に伝達され、その情報はレンズ情報メモリ８６に記憶される。ＣＰＵ８０は、必要に応じて前記レンズ情報メモリ８６からデータを読み出して補正レンズ４０の制御に関する演算を行う。
【００３８】
前記レンズ情報メモリ８６に記憶した情報は、レンズ情報設定スイッチ９２によって書き換え（変更）が可能であり、レンズ情報設定スイッチ９２を適宜操作することによって、レンズ固有情報を自由に入力設定できるようになっている。従って、レンズ情報提供手段１０２を具備しないレンズ装置２２に対しても、この防振装置２０を使用することができる。
【００３９】
更に、この防振装置２０には、防振機能のＯＮ／ＯＦＦを選択する為の防振ＯＮ／ＯＦＦスイッチ１０４と、防振装置２０のゲイン感度を調節する感度設定手段１０６とを有したコントローラ（遠隔操作部）１０８が接続される。このコントローラ１０８は、ズーム操作部やフォーカス操作部と同様にカメラマンが手元で操作できるように、例えば、パン／チルト操作棒のグリップ近傍などに取り付けられる。なお、このコントローラ１０８に前記レンズ情報設定スイッチ９２を設けることも可能である。
【００４０】
次に、上記の如く構成されたテレビカメラの防振装置とレンズ装置との接続形態について説明する。
防振装置２０は、レンズ装置２２と分離別体のアダプター構造を有しているために、防振制御に必要な情報（ズーム焦点距離や、エクステンダーの倍率等）をレンズ装置２２側から受けられるようにする必要がある。
【００４１】
例えば、図１１に示すように、レンズ装置２２とカメラ１８との接続に際してケーブルが用いられるタイプの場合、レンズ装置２２と防振装置２０とをケーブル１１０で接続するとともに、防振装置２０とカメラ１８とを別のケーブル１１１を介して接続する。かかる接続形態によって、レンズ装置２２からのデータをケーブル１１０を介して防振装置２０に導くとともに、ケーブル１１０、及び１１１を介してカメラ１８側に導くことができる。
【００４２】
その他、レンズ装置２２とカメラ１８との接続手段として、双方のマウント面に形成されたフックどうしの引っ掛けによって着脱されるワンタッチコネクタを用いたタイプの場合、図１２に示すように、防振装置２０の前面及び後面の適切な位置にそれぞれ対応するコネクタ１１４、１１５を設ける。そして、カメラ１８及びレンズ装置２２の間に防振装置２０を取り付ける際に、レンズ装置２２後端面のコネクタ１１６と防振装置２０の前面のコネクタ１１４とを連結させると共に、カメラ１８前面のコネクタ１１７と防振装置２０後面のコネクタ１１５とを連結させる。
【００４３】
図１１や図１２で説明したように、レンズ装置２２とカメラ１８との間に防振装置２０を介在させた場合、図１３に示すように、レンズ装置２２からは、ズーム焦点距離を示す信号やエクステンダーの状態を示す信号（ＥＸＴ信号）の他にも各種の信号が出力されており、また、カメラ１８側からもレンズ装置２２に対して制御信号等が出力される。
【００４４】
従って、防振装置２０では、これら信号のうちから防振制御に必要な信号（ズーム焦点距離信号、及びＥＸＴ信号）のみを信号変換回路１２０を介してＣＰＵ８０に取り込み、その他の信号については防振装置２０内を単に通過させる。
ところで、カメラ−レンズ間のインターフェースに、防振制御の為に必要な信号が含まれていない場合も考えられる。このような場合、例えば、図１４に示すように、コントロールラインの出力を利用する。即ち、防振装置２０にコントローラ接続用のコネクタ１２２を設け、該コネクタ１２２にケーブル１２３を介してコントローラ１２４を接続する。なお、ここでいうコントローラ１２４は、図１０で説明したコントローラ１０８のみならず、レンズ情報設定スイッチ９２や図示しないズーム操作部、フォーカス操作部等を包含する広い意味での操作部である。
【００４５】
また、この防振装置２０にコントロール信号出力用のコネクタ１２６を設け、このコネクタ１２６と、レンズ装置２２のコントローラ接続用コネクタ１２８との間をケーブル１３０で接続する。
かかる構成によれば、防振装置２０はコントローラ１２４から受入するレンズ固有情報、ズーム操作信号、フォーカス操作信号、エクステンダー切替信号等を用いて防振制御を行うことができる。また、コントローラ１２４から発せられた操作信号は、防振装置２０及びケーブル１３０を介してレンズ装置２２側に導かれ、カメラマンの操作に応じたレンズ制御が実行される。
【００４６】
次に、上記の如く構成されたテレビカメラの防振装置の作用について説明する。
レンズサポータ１６のマウント枠１７にレンズ装置２２を装着すると共に該マウント枠１７の後面に防振装置２０を取り付け、この防振装置２０の後方にカメラ１８を装着する。そして、これらを電気的に接続すると、レンズ装置２２のレンズ情報提供手段１０２からレンズ固有情報が防振装置２０のＣＰＵ８０に伝達される。ＣＰＵ８０は、レンズ情報提供手段１０２から取得したレンズ固有情報をレンズ情報メモリ８６に格納し、防振制御の演算に利用する。
【００４７】
前記レンズ情報メモリ８６に記憶した情報は、レンズ情報設定スイッチ９２によって自由に変更することができ、レンズ情報提供手段１０２を具備しないレンズ装置が装着された場合にも、レンズ情報設定スイッチ１０２によってレンズ固有情報を設定できる。
図１５には防振装置２０のＣＰＵ８０が行う防振制御の手順が示されている。ＣＰＵ８０は、先ず、レンズ情報メモリ８６からレンズ倍率の読み込みを行い（ステップＳ１５０）、次いで、レンズ装置２２からエクステンダー情報の読み込み（ステップＳ１５２）、及びズーム焦点距離の読み込みを行う（ステップＳ１５４）。
【００４８】
そして、これら読み込んだ情報に基づいて、補正レンズ４０の振幅量の計算を行う（ステップＳ１５６）。次に、感度設定手段１０６の設定に従って振れ検出センサ８４のゲイン感度をセットする（ステップＳ１５８）。この状態で振れ検出センサ８４による振動の検出を待機し、振れ検出センサ８４でレンズの振れを検出したとき、その情報に基づいて補正レンズ４０の駆動方向及び駆動量（補正量）を計算し、求めた補正量に従って補正レンズ４０を駆動制御する（ステップＳ１６０）。こうして、レンズの振れに応じてリニアモータ４４、４６が作動し、補正レンズ４０が撮影光軸Ｌと直交する面内で像ぶれを補正する量だけ移動する。
【００４９】
このように、本実施の形態に係るテレビカメラの防振装置では、アダプタ式の防振装置２０をレンズサポータ１６に取り付け自在に構成し、この防振装置２０を種類の異なるレンズ装置に共通使用するようにしたので、防振装置を内蔵したレンズ装置に比べて、レンズ装置の低コスト化を図ることができる。
特に、本実施の形態では、レンズサポータ１６のマウント枠１７の後面に防振装置２０を取り付ける構造としたので、レンズやレンズサポータの引っ掛けマウント形状に関係なく防振装置２０を取り付けることができるという利点がある。
【００５０】
更に、本実施の形態に係る防振装置２０は、装着されたレンズ装置２２のレンズ情報を自動的に判断して、レンズの振れの大きさに対する補正レンズの振幅量をレンズ装置毎に調節できる。
上記実施の形態では、アダプタ式の防振装置について説明したが、防振装置をレンズサポータに内蔵する形態も可能である。
【００５１】
【発明の効果】
以上説明したように本発明に係るテレビカメラの防振装置によれば、レンズサポータ側に防振装置を取り付け、この防振装置を種類の異なるレンズ装置の防振装置として共通使用したので、レンズ装置の製造コストを削減することができる。
【００５２】
特に、レンズサポータのマウント枠の後面にアダプタ式防振装置を取り付ける構造にしたことにより、レンズやレンズサポータの引っ掛けマウント形状に関係なく防振装置を取り付けることができる。
また、本発明の他の態様によれば、防振装置側に、レンズ固有情報を設定できる情報入力操作部を設けたので、情報入力部からユーザが自由にレンズ固有情報を入力、変更することができ、レンズ装置側からレンズ固有情報が伝達されない場合でも適正な防振制御を行うことができる。
【図面の簡単な説明】
【図１】本発明に係るテレビカメラの防振装置が適用されたスタジオカメラ装置の全体図
【図２】レンズサポータに対するカメラとレンズ装置の支持構造を示す一部破断を含む拡大図
【図３】レンズサポータに対するレンズ装置の支持構造を示す要部拡大図
【図４】レンズサポータに対する防振装置の取付構造を示す要部拡大断面図
【図５】レンズサポータに対する防振装置の取付構造を示す平面図
【図６】防振装置に内蔵された補正レンズの支持構造を示す構造図
【図７】補正レンズが左右方向に移動する時の動作を示す説明図
【図８】補正レンズが上下方向に移動する時の動作を示す説明図
【図９】図６に示した防振装置の制御系を示すブロック図
【図１０】防振装置の全体構成を示すブロック図
【図１１】防振装置とレンズ装置との接続形態の一例を示す概念図
【図１２】防振装置とレンズ装置との他の接続形態例を示す概念図
【図１３】レンズ−カメラ間の信号の受け渡し方を示す概念図
【図１４】防振装置とレンズ装置との他の接続形態を示す概念図
【図１５】図１０に示した防振装置のＣＰＵが行う防振制御の手順を示すフローチャート
【符号の説明】
１０…スタジオカメラ装置
１６…レンズサポータ
１７…マウント枠
１８…ＥＮＧカメラ
２０…防振装置
２２…レンズ装置
２８…ボス
３０…ケーシング
３２…ねじ棒
４０…補正レンズ
４２…レンズ枠体
４４、４６…リニアモータ
６０、７２…位置センサ
７６、７８…角速度センサ
８０…ＣＰＵ
９２…レンズ情報設定スイッチ
１０４…防振ＯＮ／ＯＦＦスイッチ
１０６…感度設定手段
１０８…コントローラ（遠隔操作部）
【図１】
0004038627.tif 000002
【図２】
0004038627.tif 000003
【図３】
0004038627.tif 000004
【図４】
0004038627.tif 000005
【図５】
0004038627.tif 000006
【図６】
0004038627.tif 000007
【図７】
0004038627.tif 000008
【図８】
0004038627.tif 000009
【図９】
0004038627.tif 000010
【図１０】
0004038627.tif 000011
【図１１】
0004038627.tif 000012
【図１２】
0004038627.tif 000013
【図１３】
0004038627.tif 000014
【図１４】
0004038627.tif 000015
【図１５】
0004038627.tif 000016